(57)【要約】【課題】情報端末装置の省電力化を実現すること。【解決手段】本発明にかかる情報端末装置は、所定の情報が記録された情報媒体からの応答をもとに読取処理を行なう読取手段として、第１読取部および第２読取部を備える。また、本発明にかかる情報端末装置は、第１読取部または第２読取部が情報媒体からの応答を検出する応答検出期間の間、第１読取部および第２読取部に対して省電力駆動を行なわせる制御部を備える。該制御部は、応答検出期間後、情報媒体からの応答を検出した読取手段を完全駆動させ、他の読取手段を停止させるため、本発明にかかる情報端末装置では消費する電力を低減することが可能となる。【選択図】      図２
2005210602.tif 000002
【特許請求の範囲】
【請求項１】
所定の情報が記録された情報媒体からの応答をもとに読取処理を行なう複数の読取手段を備えた情報端末装置において、
前記読取手段が前記情報媒体からの応答の有無を検出する応答検出期間の間、前記複数の読取手段に対して省電力駆動を行なわせる制御手段を備えたことを特徴とする情報端末装置。
【請求項２】
前記制御手段は、前記応答検出期間後、前記情報媒体からの応答を検出した前記読取手段を完全駆動させ、他の前記読取手段を停止させることを特徴とする請求項１に記載の情報端末装置。
【請求項３】
前記制御手段は、前記応答検出期間の間、前記複数の読取手段に対して、前記完全駆動時に供給される電圧よりも低い電圧を供給することを特徴とする請求項１または２に記載の情報端末装置。
【請求項４】
前記制御手段は、前記応答検出期間の間、前記複数の読取手段に対して、前記完全駆動時のデューティ比よりも低いデューティ比で駆動させることを特徴とする請求項１または２に記載の情報端末装置。
【請求項５】
前記制御手段は、前記応答検出期間の間、前記複数の読取手段に対して駆動時間を間引いて駆動させることを特徴とする請求項１〜４のいずれか一つに記載の情報端末装置。
【請求項６】
前記制御手段は、前記応答検出期間の間、前記複数の読取手段を交互に駆動させることを特徴とする請求項１〜５のいずれか一つに記載の情報端末装置。
【請求項７】
前記複数の読取手段は、
所定周波数の電波を送受信する第１のアンテナを有し、前記第１のアンテナの送信電波に応じる第１の前記情報媒体からの応答電波をもとに該第１の情報媒体に対して読取処理を行なう第１の読取手段と、
前記第１の情報媒体と異なる種別である第２の前記情報媒体に対して光学的な読取処理を行なう光学情報読取手段と、
を備えたことを特徴とする請求項１〜６のいずれか一つに記載の情報端末装置。
【請求項８】
前記複数の読取手段は、
所定周波数の電波を送受信する第１のアンテナを有し、前記第１のアンテナの送信電波に応じる第１の前記情報媒体からの応答電波をもとに該第１の情報媒体に対して読取処理を行なう第１の読取手段と、
前記第１のアンテナの送受信電波の周波数と異なる周波数の電波を送受信する第２のアンテナを有し、前記第２のアンテナの送信電波に応じる第２の前記情報媒体からの応答電波をもとに該第２の情報媒体に対して読取処理を行なう第２の読取手段と、
を備えたことを特徴とする請求項１〜６のいずれか一つに記載の情報端末装置。
【請求項９】
前記制御手段は、前記応答検出期間の間、前記第１のアンテナおよび／または前記第２のアンテナに対して、前記省電力駆動を行なわせることを特徴とする請求項７または８に記載の情報端末装置。
【請求項１０】
前記読取処理の指示情報を入力する入力手段と、
前記読取処理の完了と前記読取処理によって前記情報媒体から読み取った情報とを表示する表示手段と、
を備えたことを特徴とする請求項１〜９のいずれか一つに記載の情報端末装置。
【請求項１１】
前記第１の読取手段および／または前記第２の読取手段は、前記読取処理とともに、前記第１の情報媒体および／または前記第２の読取媒体に対して情報を書き込む書込処理を行ない、
前記表示手段は、前記書込処理の完了と前記書込処理によって前記情報媒体に書込む情報とを表示することを特徴とする請求項１０に記載の情報端末装置。
【発明の詳細な説明】
【技術分野】
【０００１】
この発明は、所定の情報が記録された情報媒体からの応答をもとに読取処理を行なう複数の読取手段を備えた情報端末装置に関する。
【背景技術】
【０００２】
従来から、無線通信システムの１つとして、ＲＦＩＤ（Radio Frequency Identification）システムが開発されており、入退室管理、商品管理等に利用されている。ＲＦＩＤシステムでは、識別情報等を記憶するＲＦＩＤタグを管理対象に取り付け、専用の情報端末装置がＲＦＩＤタグに対して所定周波数の電波を用いて読取処理、書込処理を行なうことによって管理対象を管理している。
【０００３】
近年、ＲＦＩＤタグを読み取る情報端末装置として、ＲＦＩＤタグを読み取るＲＦＩＤ処理部のほかに、他の情報媒体を読み取る機能をさらに備えた情報端末装置が提案されている。このような情報端末装置として、たとえば、符号化された各種の情報を表示した光学情報記録媒体の情報を読み取る光学情報読取部をさらに備えた情報端末装置が開発されている（特許文献１参照）。光学情報読取部は、光学情報記録媒体に対して撮像処理を行い、得られた画像情報を解読することによって光学情報記録媒体の記録内容を読み取る。操作者の入力指示にしたがってＲＦＩＤ処理部と光学情報読取部とが同時に起動する情報端末装置では、操作者は煩雑な操作指示を行なう必要がなく簡易な操作で読取処理を行なうことができる。
【０００４】
【特許文献１】特開２００１−２２９３３７号公報
【発明の開示】
【発明が解決しようとする課題】
【０００５】
ところで、近年、情報端末装置の小型化が求められており、これにともない情報端末装置の省電力化が必要とされている。しかしながら、ＲＦＩＤ処理部と光学情報読取部とが同時に起動する従来の情報端末装置では、ＲＦＩＤ処理部と光学情報処理部とによって消費される電力が多くなり、省電力化に支障をきたしていた。このため、情報端末装置に搭載される電池の小型化が困難であり、情報端末装置の小型化を図ることができないという問題があった。
【０００６】
この発明は、上記した従来技術の欠点に鑑みてなされたものであり、複数の読取手段が同時に起動する場合であっても、省電力化を実現する情報端末装置を提供することを目的とする。
【課題を解決するための手段】
【０００７】
請求項１にかかる情報端末装置は、所定の情報が記録された情報媒体からの応答をもとに読取処理を行なう複数の読取手段を備えた情報端末装置において、前記読取手段が前記情報媒体からの応答の有無を検出する応答検出期間の間、前記複数の読取手段に対して省電力駆動を行なわせる制御手段を備えたことを特徴とする。
【０００８】
本発明にかかる情報端末装置によれば、応答検出期間の間、複数の読取手段に対して省電力駆動を行なわせる制御手段を備えることによって、情報端末装置における消費電力を低減することができる。
【０００９】
請求項２にかかる情報端末装置は、前記制御手段は、前記応答検出期間後、前記情報媒体からの応答を検出した前記読取手段を完全駆動させ、他の前記読取手段を停止させることを特徴とする。
【００１０】
請求項３にかかる情報端末装置は、前記制御手段は、前記応答検出期間の間、前記複数の読取手段に対して、前記完全駆動時に供給される電圧よりも低い電圧を供給することを特徴とする。
【００１１】
請求項４にかかる情報端末装置は、前記制御手段は、前記応答検出期間の間、前記複数の読取手段に対して、前記完全駆動時のデューティ比よりも低いデューティ比で駆動させることを特徴とする。
【００１２】
請求項５にかかる情報端末装置は、前記制御手段は、前記応答検出期間の間、前記複数の読取手段に対して駆動時間を間引いて駆動させることを特徴とする。
【００１３】
請求項６にかかる情報端末装置は、前記制御手段は、前記応答検出期間の間、前記複数の読取手段を交互に駆動させることを特徴とする。
【００１４】
請求項７にかかる情報端末装置は、前記複数の読取手段は、所定周波数の電波を送受信する第１のアンテナを有し、前記第１のアンテナの送信電波に応じる第１の前記情報媒体からの応答電波をもとに該第１の情報媒体に対して読取処理を行なう第１の読取手段と、前記第１の情報媒体と異なる種別である第２の前記情報媒体に対して光学的な読取処理を行なう光学情報読取手段と、を備えたことを特徴とする。
【００１５】
請求項８にかかる情報端末装置は、前記複数の読取手段は、所定周波数の電波を送受信する第１のアンテナを有し、前記第１のアンテナの送信電波に応じる第１の前記情報媒体からの応答電波をもとに該第１の情報媒体に対して読取処理を行なう第１の読取手段と、前記第１のアンテナの送受信電波の周波数と異なる周波数の電波を送受信する第２のアンテナを有し、前記第２のアンテナの送信電波に応じる第２の前記情報媒体からの応答電波をもとに該第２の情報媒体に対して読取処理を行なう第２の読取手段と、を備えたことを特徴とする。
【００１６】
請求項９にかかる情報端末装置は、前記制御手段は、前記応答検出期間の間、前記第１のアンテナおよび／または前記第２のアンテナに対して、前記省電力駆動を行なわせることを特徴とする。
【００１７】
請求項１０にかかる情報端末装置は、前記読取処理の指示情報を入力する入力手段と、前記読取処理の完了と前記読取処理によって前記情報媒体から読み取った情報とを表示する表示手段と、を備えたことを特徴とする。
【００１８】
請求項１１にかかる情報端末装置は、前記第１の読取手段および／または前記第２の読取手段は、前記読取処理とともに、前記第１の情報媒体および／または前記第２の読取媒体に対して情報を書き込む書込処理を行ない、前記表示手段は、前記書込処理の完了と前記書込処理によって前記情報媒体に書込む情報とを表示することを特徴とする。
【発明の効果】
【００１９】
本発明にかかる情報端末装置によれば、応答検出期間の間、複数の読取手段に対して省電力駆動を行なわせることによって、情報端末装置における消費電力を低減することができる。このため、本発明にかかる情報端末装置によれば、情報端末装置に搭載される電池の小型化が可能となり、情報端末装置の小型化を実現することができる。
【発明を実施するための最良の形態】
【００２０】
以下、図面を参照して、この発明の実施の形態である情報端末装置について説明する。なお、この実施の形態によりこの発明が限定されるものではない。また、図面の記載において、同一部分には同一の符号を付している。
【００２１】
（実施の形態１）
まず、実施の形態１にかかる情報端末装置について説明する。本実施の形態１にかかる情報端末装置は、読取手段として第１読取部と第２読取部とを備え、所定の期間、省電力駆動を行なっている。図１は、本実施の形態１にかかる情報端末装置の概略構成を示すブロック図である。
【００２２】
図１において、実施の形態１にかかる情報端末装置１は、入力部２と、外部通信部３と、ストレージデバイス４と、第１読取部５と、第２読取部６と、表示部７と、音声入出力部８と、制御部９と、記憶部１０とを有する。入力部２、外部通信部３、ストレージデバイス４、第１読取部５、第２読取部６、表示部７、音声入出力部８、および記憶部１０は、制御部９に電気的に接続される。また、制御部９は、入力部２、外部通信部３、ストレージデバイス４、第１読取部５、第２読取部６、表示部７、音声入出力部８、および記憶部１０を制御する。
【００２３】
入力部２は、第１読取部５または第２読取部６に対して読取処理の対象である情報媒体に記憶された情報を読み取る処理（読取処理）を指示する指示情報（読取指示情報）を入力する複数の入力キー等を有する。入力部２は、読取指示情報の入力を受け付けるとともに、受け付けた各指示情報を制御部９に送出する。
【００２４】
外部通信部３は、ＲＳ２３２Ｃ、ＵＳＢ、またはＩＥＥＥ１３９４等の外部通信用インターフェース、あるいはＩｒＤＡ規格に準拠した赤外線通信インターフェース等を用いて実現され、外部のホストコンピュータ（図示せず）等に対する情報通信を行う。
【００２５】
ストレージデバイス４は、制御部９の制御のもと、外部から挿入されたスマートメディア、メモリスティック、マルチメディアカード、またはＳＤメモリカード等の記憶媒体を駆動させて、記憶媒体に記憶される情報を読み取る。さらに、ストレージデバイス４は、制御部９の制御のもと、制御部９から入力された情報を記憶媒体に対して記録するように機能してもよい。なお、記憶媒体は、ストレージデバイス４に対して着脱可能である。
【００２６】
第１読取部５は、入力部２からの読取指示情報を受けた制御部９の制御のもと、応答検出期間において第１読取部５に対応する情報媒体からの応答の有無を検出する。そして、第１読取部５は、情報媒体からの応答を検出した場合には、制御部９によって完全駆動され、該情報媒体に対して光学的、または、電磁的に読取処理を行なう。また、第１読取部５は、応答検出期間の間、制御部９の制御のもと、省電力駆動を行う。第１読取部５は、省電力駆動を行なっているときには、対応する情報媒体から応答があることを検出することが可能であり、対応する情報媒体から応答があった際には、対応する情報媒体からの応答があった旨を示す第１の読取信号を制御部９に送出する。なお、完全駆動とは、第１読取部５および第２読取部６が、情報媒体に対して読取処理を行なうために十分な電力を供給されて、読取処理を行なう場合の駆動方式である。また、応答検出期間および省電力駆動については、後に詳細に説明する。
【００２７】
第２読取部６は、入力部２から読取指示情報を受けた制御部９の制御のもと、応答検出期間において第２読取部６に対応する情報媒体からの応答の有無を検出する。そして、第２読取部６は、情報媒体からの応答を検出した場合には、制御部９によって完全駆動とされ、該情報媒体に対して光学的、または、電磁的に読取処理を行なう。第２読取部６が読取処理を行なう情報媒体は、第１読取部５が読取処理を行なう情報媒体と異なる種別である。また、一度の読取処理においては、第１読取部５と第２読取部６のいずれか一方が読取処理を行なう。また、第２読取部６は、制御部９の制御のもと、第１読取部５とほぼ同時に起動される。また、第２読取部６は、応答検出期間の間、制御部９の制御のもと省電力駆動を行なう。第２読取部６は、省電力駆動を行なっているときには、対応する情報媒体から応答があることを検出することが可能であり、対応する情報媒体から応答があった際には、対応する情報媒体からの応答があった旨を示す第２の読取信号を制御部９に送出する。
【００２８】
表示部７は、たとえば、液晶表示装置（Liquid Crystal Display : ＬＣＤ）、有機エレクトロルミネッセンス表示装置、電流が供給される間発光を継続する発光ダイオード（Light emitting diode : ＬＥＤ）を用いて実現され、制御部９の制御のもと、第１読取部５または第２読取部６における情報媒体に対する読取処理の完了を表示出力する。また、表示部７は、読取処理によって読み取られた情報等を表示出力する場合もある。また、表示部７は、情報端末装置１に処理動作に関するエラーが発生した場合に、制御部９の制御のもと、このエラーを報知する所定のエラー表示を表示出力してもよい。
【００２９】
音声入出力部８は、マイクロフォンおよびスピーカーを用いて実現される。音声入出力部８は、制御部９の制御のもと、外部からの音声情報を入力するとともに、入力した音声情報を制御部９に送出する。また、音声入出力部８は、制御部９の制御のもと、制御部９から入力された音声情報を外部に出力する。なお、音声入出力部８は、制御部９の制御のもと、各構成部位による処理の開始または完了を報知する所定の報知音を出力し、または、情報端末装置１において処理動作に関するエラーが発生した場合に、制御部９の制御のもと、このエラーを報知する所定のエラー音を出力してもよい。この場合、音声入出力部８は、上述した表示部７によるエラー表示の出力と同期して、このエラー表示に対応するエラー音を出力する。
【００３０】
制御部９は、記憶部１０に記憶された処理プログラムを実行するＣＰＵ（Central Processing Unit）を備える。また、入力部２、外部通信部３、ストレージデバイス４、第１読取部５、第２読取部６、表示部７、音声入出力部８、および記憶部１０の各処理または動作を制御する。この場合、制御部９は、これらの各構成部位に入出力される情報について所定の入出力制御を行い、かつ、この情報に対して所定の情報処理を行う。また、制御部９は、入力部２から読取指示情報が入力された場合、該読取指示情報をもとに各読取部における読取処理を制御する。この場合、制御部９は、まず、応答検出期間である第１の読取信号検出期間および第２の読取信号検出期間の間、第１読取部５および第２読取部６に対して省電力駆動を行なわせるよう第１読取部５と第２読取部６とを制御する。そして、制御部９は、第１読取部５または第２読取部６のうち、第１の読取信号検出期間および第２の読取信号検出期間の間に情報媒体からの応答を検出した読取部を完全駆動させる。また、制御部９は、外部通信部３を介して、第１読取部５または第２読取部６から入力された情報を外部のホストコンピュータに送出し、その後、このホストコンピュータによって情報処理がなされた情報を受信してもよい。
【００３１】
記憶部１０は、処理プログラム等の各種データが予め記憶されたＲＯＭ（Read Only Memory）と、各処理の演算パラメータ、情報媒体から読み取られた各種情報、あるいは音声情報等を記憶するＲＡＭ（Random Access Memory）とを用いて実現される。
【００３２】
つぎに、情報端末装置１が行なう処理のうち、第１読取部５または第２読取部６において行なわれる読取処理の処理手順について説明する。図２は、情報端末装置１が読取処理を完了し、読取処理の完了を表示部７に表示出力するまでの処理手順を示すフローチャートである。
【００３３】
まず、図２に示すように、制御部９は、入力部２から入力される読取指示情報の有無をもとに、読取処理の開始指示、すなわち処理開始指示があったか否かを判断する（ステップＳ１０２）。制御部９が読取指示情報を受け、読取処理の処理開始指示があったと判断した場合には（ステップＳ１０２：Ｙｅｓ）、ステップＳ１０４に進む。一方、制御部９が読取指示情報を受けず、処理開始指示がないと判断した場合には（ステップＳ１０２：Ｎｏ）、再度ステップＳ１０２に戻り、制御部９は処理開始指示があったか否かを繰り返し判断する。制御部９が処理開始指示があったと判断した場合（ステップＳ１０２：Ｙｅｓ）、制御部９は、第１読取部５を起動させて第１読取部５に対して省電力駆動を行なわせる（ステップＳ１０４）。また、制御部９は、第２読取部６を起動させて第２読取部６に対して省電力駆動を行なわせる（ステップＳ１０６）。
【００３４】
つぎに、制御部９は、第１読取部５から送出された第１の読取信号を受信したか否かを判断する（ステップＳ１０８）。制御部９は、第１の読取信号を受信した場合には（ステップＳ１０８：Ｙｅｓ）、第２読取部６の駆動を停止する（ステップＳ１１０）。次いで、第１読取部５を完全駆動させる（ステップＳ１１２）。完全駆動とされた第１読取部５は、第１読取部５に対応する情報媒体との間で情報の授受を行い、該情報媒体に対して読取処理を行なう。次いで、制御部９は、第１読取部５の読取処理は完了したか否かを判断する（ステップＳ１１４）。制御部９は、第１読取部５の読取処理が完了していない場合には（ステップＳ１１４：Ｎｏ）、第１読取部５に対する完全駆動の継続を維持し、第１読取部５の読取処理を継続させる。一方、制御部９は、第１読取部５の読取処理が完了した場合には（ステップＳ１１４：Ｙｅｓ）、表示部７に対して、読取処理の完了を表示する読取完了表示を行わせる（ステップＳ１２４）。
【００３５】
一方、制御部９が第１の読取信号を受信しない場合には（ステップＳ１０８：Ｎｏ）、第１読取部５に対応する情報媒体が読取範囲内にないものと考えられるため、第２読取部６に対応する情報媒体が読取範囲内にあるか否かを検討する。このため、制御部９は、第２の読取信号を受信したか否かを判断する（ステップＳ１１６）。制御部９は、第２の読取信号を受信しない場合には（ステップＳ１１６：Ｎｏ）、ステップＳ１０８に戻り再度、第１の読取信号の検出を行ない（ステップＳ１０８）、読取範囲内に情報媒体があるか否かの判断を繰り返す。
【００３６】
そして、制御部９が第２の読取信号を検出した場合には（ステップＳ１１６：Ｙｅｓ）、制御部９は、第１読取部５の駆動を停止する（ステップＳ１１８）。次いで、制御部９は、第２読取部６を完全駆動させる（ステップＳ１２０）。完全駆動とされた第２読取部６は、第２読取部６に対応する情報媒体との間で情報の授受を行い、該情報媒体に対して読取処理を行なう。次いで、制御部９は、第２読取部６の読取処理は完了したかを判断する（ステップＳ１２２）。制御部９は、第２読取部６の読取処理が完了していない場合には（ステップＳ１２２：Ｎｏ）、第１読取部５に対する完全駆動の継続を維持し、第１読取部５の読取処理を継続させる。一方、制御部９は、第２読取部６の読取処理が完了した場合には（ステップＳ１２２：Ｙｅｓ）、表示部７に対して、読取処理の完了を表示する読取完了表示を行わせる（ステップＳ１２４）。
【００３７】
そして、制御部９は、表示部７に対して読取処理の完了を表示するとともに、完全駆動を行なっている第１読取部５または第２読取部６を停止させ、情報端末装置１は読取処理を終了する。
【００３８】
このように、情報端末装置１では、制御部９が第１の読取信号または第２の読取信号の受信の有無を判断する間、第１読取部５および第２読取部６を省電力駆動方式で駆動させ、受信した読取信号に応じて第１読取部５または第２読取部６の一方を完全駆動させ、一方を停止して、情報媒体に対する読取処理を行なっている。
【００３９】
つぎに、制御部９が第１の読取信号または第２の読取信号の有無を判断する間、制御部９が第１読取部５および第２読取部６に対して行なわせる省電力駆動方法について説明する。ここで、省電力駆動として、第１の読取信号検出期間および第２の読取信号検出期間の間において第１読取部５および第２読取部６への供給電圧が完全駆動時と比較し低い低電圧駆動方式について説明する。
【００４０】
まず、図３および図４を参照して、低電圧駆動方式について説明する。図３および図４は、第１読取部５および第２読取部６への供給電圧を説明するタイミングチャートである。図３は、第１読取部５が完全駆動とされて読取処理を行なう場合について示し、図４は、第２読取部６が完全駆動とされて読取処理を行なう場合について示す。
【００４１】
まず、第１読取部５が読取処理を行なう場合について説明する。図３において、期間Ｔａは、制御部９が入力部２から入力された読取指示情報を検知する指示検知期間である。期間Ｔａの間、第１読取部５と第２読取部６とは駆動せず、第１読取部５および第２読取部６に供給される電圧はＯＦＦ電圧である。
【００４２】
図３において、期間Ｔｂは、第１読取部５が情報媒体からの応答を検出する期間であって、第１読取部５が情報媒体からの応答を検出した際に制御部９に対して送出する第１の読取信号の受信を制御部９が検出する第１の読取信号検出期間である。すなわち、第１の読取信号検出期間は、制御部９が第１読取部５からの第１の読取信号を受信したか否かを判断する期間となる。この期間Ｔｂでは、制御部９は、第１読取部５および第２読取部６を低電圧駆動方式で駆動する。期間Ｔｂでは、図３（Ａ）に示すように、制御部９は、第１読取部５に対して、第１読取部５が読取処理を行なうために十分である定格電圧Ｖs1と比して低い電圧Ｖd1を供給する。また、図３（Ｂ）に示すように、期間Ｔｂでは、制御部９は、第２読取部６に対して、第２読取部６が読取処理を行なうために十分である定格電圧Ｖs2と比較して低い電圧Ｖd2を供給する。電圧Ｖd1，Ｖd2は、ＯＦＦ電圧と比して高い電圧であり、第１読取部５および第２読取部６が情報媒体に対して正確に読取処理を行なうには不十分であるが、第１読取部５および第２読取部６が情報媒体からの応答の有無を検出するには可能である電圧である。第１読取部５は情報媒体からの応答を検出した場合には制御部９に対して第１の読み取り信号を送出し、制御部９は、この第１の読取信号を受信したか否かを判断する。
【００４３】
図３において、期間Ｔｃは、制御部９が第１の読取信号を受信した後、第１読取部５に対して完全駆動を行なわせる期間であって、第１読取部５が情報媒体に対して読取処理を行なう第１読取処理期間である。制御部９が第１読取部５に対して定格電圧Ｖs1を供給することによって、第１読取部５は完全駆動し、情報媒体に対して読取処理を行なう。一方、期間Ｔｃでは、第２読取部６に供給される電圧はＯＦＦ電圧となり、第２読取部６は停止する。
【００４４】
図３において、期間Ｔｄは、制御部９が第１読取部５の読取処理が完了したと判断した後に、表示部７に対して読取完了表示を行わせる表示期間である。期間Ｔｄの間、制御部９は第１読取部５への供給電圧をＯＦＦ電圧として第１読取部５を停止させる。表示部７における読取完了表示が終了した後、情報端末装置１の読取処理は完了する。
【００４５】
つぎに、第２読取部６が読取処理を行なう場合について説明する。図４において、期間Ｔａは、図３と同様に、指示検知期間であり、第１読取部５と第２読取部６とは駆動せず、第１読取部５および第２読取部６に供給される電圧はＯＦＦ電圧である。
【００４６】
図４において、期間Ｔｂは、図３と同様に、第１の読取信号検出期間である。制御部９が読取指示情報を検知した後、制御部９は、第１読取部５には電圧Ｖd1を供給し、第２読取部６には電圧Ｖd2を供給し、第１読取部５および第２読取部を低電圧駆動方式で駆動させる。期間Ｔｂの間に、制御部９は、第１の読取信号を受信したか否かを判断し、第１の読取信号を受信しないと判断した場合には、期間Ｔｅにおいて第２の読取信号を受信したか否かの判断を行なう。
【００４７】
図４において、期間Ｔｅは、第２読取部６が情報媒体からの応答を検出する期間であって、第２読取部６が情報媒体からの応答を検出した際に制御部９に対して送出する第２の読取信号の受信を制御部９が検出する第２の読取信号検出期間である。すなわち、第２の読取信号検出期間は、制御部９が第２読取部６からの第２の読取信号を受信したか否かを判断する期間となる。期間Ｔｅでは、期間Ｔｂに引き続き、制御部９は第１読取部５および第２読取部に対して低電圧駆動方式で駆動させる。第２読取部６は情報媒体からの応答を検出した場合には、制御部９に対して第２の読み取り信号を送出し、制御部９は、この第２の読取信号を受信したか否かを判断する。
【００４８】
図４において、期間Ｔｆは、制御部９が第２の読取信号を受信した後、第２読取部６に対して完全駆動を行なわせる期間であって、第２読取部６が対応する情報媒体に対して読取処理を行なう第２読取処理期間である。制御部９が第２読取部６に対して定格電圧Ｖs2を供給することによって、第２読取部６は完全駆動し、情報媒体に対して読取処理を行なう。一方、制御部９は、第１読取部５に供給される電圧をＯＦＦ電圧とし、第１読取部５は停止する。
【００４９】
図４において、期間Ｔｄは、図３と同様に、制御部９が表示部７に対して読取完了表示を行わせる表示期間である。期間Ｔｄの間、制御部９は第２読取部６への供給電圧をＯＦＦ電圧として第２読取部６を停止させる。表示部７における読取完了表示が終了した後、情報端末装置１の読取処理は完了する。
【００５０】
このように、実施の形態１では、制御部９は第１の読取信号検出期間および第２の読取信号検出期間の間、第１読取部５および第２読取部６に対して省電力駆動を行なわせることによって消費電力の低減が可能となり、情報端末装置１は省電力化を実現することができる。このため、情報端末装置１に搭載される電池を小型化することが可能となり、情報端末装置１の小型化を実現することができる。
【００５１】
なお、省電力駆動方式として低電圧駆動方式を説明したが、これに限らず、図５および図６に示すように、第１読取部５のデューティ比および第２読取部６のデューティ比を下げて駆動させる低デューティ駆動方式としてもよい。図５および図６は、第１読取部５のデューティ比および第２読取部６のデューティ比を説明するタイミングチャートである。図５は第１読取部５が読取処理を行なう場合について示し、図６は第２読取部６が読取処理を行なう場合について示す。また、図５，図６における期間Ｔａ，Ｔｂ，Ｔｃ，Ｔｄ，Ｔｅ，Ｔｆは、図３および図４と同様に、指示検知期間、第１の読取信号検出期間、第１読取処理期間、表示期間、第２の読取信号検出期間、第２読取処理期間である。
【００５２】
まず、第１読取部５が読取処理を行なう場合について説明する。図５に示すように、指示検知期間である期間Ｔａの間、第１読取部５のデューティ比および第２読取部６のデューティ比は０％である。そして、第１の読取信号検出期間である期間Ｔｂの間、第１読取部５のデューティ比はａ％（＜１００％）とされ、第２読取部６のデューティ比はｂ％（＜１００％）とされる。第１読取部５および第２読取部６は、それぞれのデューティ比がａ％およびｂ％とされた場合、読取処理を行なうには不十分であるが情報媒体からの応答の有無を検出することは可能である。制御部９は、期間Ｔｂで第１の読取信号を受信した後、期間Ｔｃにおいて第１読取部５のデューティ比を１００％として完全駆動させ、第１読取部５に情報媒体に対する読取処理を行なわせる。一方、第２読取部６のデューティ比は０％とされ、第２読取部６は停止する。
【００５３】
つぎに、第２読取部６が読取処理を行なう場合について説明する。図６に示すように、第１の読取信号検出期間である期間Ｔｂおよび第２の読取信号検出期間である期間Ｔｅの間、第１読取部５のデューティ比はａ％とされ、第２読取部６のデューティ比はｂ％とされる。制御部９は、期間Ｔｅで第２の読取信号を検出した後、期間Ｔｆにおいて第２読取部６のデューティ比を１００％として完全駆動させ、第２読取部６に情報媒体に対する読取処理を行なわせる。一方、第１読取部５のデューティ比０％となる。
【００５４】
このように、制御部９が第１の読取信号検出期間および第２の読取信号検出期間の間、第１読取部５のデューティ比および第２読取部６のデューティ比を下げた場合も消費電力の低減が可能となり、情報端末装置１は省電力化を実現することができる。
【００５５】
（実施例）
つぎに、本実施の形態１にかかる情報端末装置の実施例として、ＲＦＩＤ処理部と光学情報読取部とを読取手段として備えた情報端末装置について説明する。図７は、本実施例における情報端末装置の概略構成を示すブロック図である。
【００５６】
図７に示すように、本実施例にかかる情報端末装置１０１は、第１読取部５としてＲＦＩＤタグに対して読取処理を行なうＲＦＩＤ処理部５０と、第２読取部６として光学情報記録媒体に対して読取処理を行なう光学情報読取部６０とを読取手段として備える。入力部２、外部通信部３、ストレージデバイス４、表示部７、音声入出力部８、および記憶部１０とともに、ＲＦＩＤ処理部５０と光学情報読取部６０とは制御部９に電気的に接続される。ＲＦＩＤ処理部５０は所定周波数の電波を送受信するアンテナ５０ａを備え、アンテナ５０ａはＲＦＩＤ処理部５０に電気的に接続される。また、制御部９は、入力部２、外部通信部３、ストレージデバイス４、ＲＦＩＤ処理部５０、光学情報読取部６０、表示部７、音声入出力部８、および記憶部１０を制御する。また、ＲＦＩＤ処理部５０はアンテナ５０ａを制御する。ここで、ＲＦＩＤタグとは、アンテナ５０ａから送信された所定周波数の送信電波に応じて、蓄積した識別情報等の各種情報に対応する応答電波を送信する情報媒体であってタグ形状であるものである。また、光学情報記録媒体は、符号化された各種の情報を表示した情報媒体である。
【００５７】
アンテナ５０ａは、ＲＦＩＤ処理部５０の制御のもと、所定の交信領域内に存在するＲＦＩＤタグとの間において、所定周波数の電波を送受信するように機能する。この場合、アンテナ５０ａは、ＲＦＩＤ処理部５０から入力された電気信号に対応する所定周波数の電波を送信し、または、ＲＦＩＤタグから送信された応答電波を受信するとともに、この受信した応答電波に対応する電気信号をＲＦＩＤ処理部５０に送出する。
【００５８】
ＲＦＩＤ処理部５０は、制御部９の制御のもと、ＲＦＩＤタグに記録される識別情報等を取得するＲＦＩＤタグ読取処理を行なう。この場合、ＲＦＩＤ処理部５０は、制御部９の制御のもと、ＲＦＩＤタグの識別情報等を取得するためにＲＦＩＤタグに対して送信する送信情報に対応する電気信号を必要に応じて変調し、アンテナ５０ａに送出する。そして、ＲＦＩＤ処理部５０は、アンテナ５０ａに対して、この電気信号に対応する所定の電波を出力させるよう制御する。そして、ＲＦＩＤ処理部５０は、アンテナ５０ａが受信したＲＦＩＤタグからの送信電波に応じた電気信号であって、アンテナ５０ａから送出された電気信号を必要に応じて復調し、ＲＦＩＤタグに記録された識別情報を取得する。そして、ＲＦＩＤ処理部５０は、取得した識別情報等を制御部９に送出し、ＲＦＩＤタグ読取処理を達成する。なお、ＲＦＩＤ処理部５０は、読取処理とともに、所定周波数の電波を介した無線通信によってＲＦＩＤタグに対して情報を書き込む書込処理も行なう。
【００５９】
光学情報読取部６０は、制御部９の制御のもと、光学情報記録媒体に対して光学的に読取処理を行う。光学情報読取部６０は、光学情報記録媒体を撮像処理し、撮像処理によって得られた画像情報を解読して、光学情報記録媒体の情報を読み取り、読み取った情報を制御部９に送出して、読取処理を達成する。光学情報読取部６０は、ＣＣＤ（Charge Coupled Diode）、ＣＭＯＳ（Complementary Metal Oxide Semiconductor）等を用いて実現され、結像した入力光を電気信号に変換する光電変換部と、光電変換部からの入射光を結像させる光学系とを備えた構成を有する。なお、光学情報読取部６０は、光学情報記録媒体に対して赤外光または可視光を投光する半導体レーザ素子または発光ダイオード等の光源と、この光学情報記録媒体からの反射光を受光するフォトセンサ等の受光素子とを用いても実現することができる。また、光学情報読取部６０は、入力部２からの処理開始指示をもとに、制御部９によってＲＦＩＤ処理部５０とほぼ同時に起動される。
【００６０】
なお、表示部７は、ＲＦＩＤ処理部５０が書込処理を完了した際の書込処理の完了や書込処理における書込情報などを表示出力する場合もある。また、表示部７は、光学情報読取部６０が光学情報記録媒体を撮像するように機能する場合、光学情報読取部６０によって撮像された画像情報を表示出力する場合もある。
【００６１】
つぎに、本実施例にかかる情報端末装置１０１の具体的構成について説明する。図８は、本実施例における情報端末装置１０１の全体構成を示す分解斜視図である。図８に示す各部材を組み合わせることによって、本実施例にかかる情報端末装置１０１が構成される。
【００６２】
情報端末装置１０１は、上部ハウジング１１と、下部ハウジング１２と、ガスケット部材１３とによって筐体が形成されている。ガスケット部材１３は、弾性部材を用いて環状に形成されており、上部ハウジング１１と下部ハウジング１２とを係合する際に、それぞれの係合部分に設けられた溝部にはめ込まれて弾性変形し、上部ハウジング１１と下部ハウジング１２との間に生じる隙間を埋めている。また、図８に示すように、ガスケット部材１３は、下部ハウジング１２に形成された穴部１４に対応した開口部１５を備えた構造であり、後述する操作スイッチ２２と穴部１４との間に生じる隙間も埋めている。
【００６３】
上部ハウジング１１は、画像表示を行うための表示窓７１が形成される。また、上部ハウジング１１は、識別情報等の入力を行なうための複数のボタン２１を備える。表示窓７１は液晶モジュール７２と組み合わされることによって表示部７として機能し、ボタン２１は入力スイッチ２５と連動することで入力部２として機能する。
【００６４】
下部ハウジング１２は、底部にバッテリ収容部１６と、撮像窓６１と、照明窓６６とが形成され、側面部に前述の穴部１４が形成された構造を有する。また、下部ハウジング１２の底部には、アンテナ５０ａを構成するループアンテナ５１が配置されており、ループアンテナ５１と接続し、後述する回路基板９１に形成される所定の電子回路によってＲＦＩＤ処理部５０が形成される。
【００６５】
バッテリ収容部１６は、情報端末装置１の各構成要素の駆動電力を供給するバッテリ１７を収容するためのものである。バッテリ収容部１６の開口部には蓋部１８がはめ込まれる構成となっており、蓋部１８は、バッテリ１７を収容した状態で開口部にはめ込まれることによってバッテリ１７を外部から保護する機能を有する。
【００６６】
撮像窓６１は、撮像ユニット６２をはめ込むためのものである。撮像ユニット６２は、光学レンズ等を備えた光学系６３と、光学系６３によって結像された入力光を光電変換するＣＣＤ回路６４と、ＣＣＤ回路６４から出力されたデータの処理を行なう画像処理回路６５とを備え、光学情報読取部６０を構成するためのものである。また、照明窓６６は、照明ユニット６７をはめ込むためのものである。照明ユニット６７は、ＬＥＤ等の発光素子を内蔵し、撮像ユニット６２による撮像動作時に光学情報記録媒体を照明する機能を有する。
【００６７】
穴部１４は、操作スイッチ２２をはめ込むためのものである。操作スイッチ２２は、情報端末装置１の動作モードを、光学情報記録媒体を読み取る読取処理、ＲＦＩＤタグを読み取る読取処理またはＲＦＩＤタグに情報を書き込む書込処理に切り替えるためのものである。たとえば、操作者が操作スイッチ２２を押す回数に対応して、下部ハウジング１２の底部に設けられた制御スイッチ２４が連動するよう構成されている。制御スイッチ２４の連動によって、制御部９に各指示情報が入力される。
【００６８】
上部ハウジング１１、下部ハウジング１２およびガスケット部材１３によって形成される筐体内には、プリント配線基板等によって構成される回路基板９１が配置されている。回路基板９１上には、ボタン２１に対応した入力スイッチ２５が配置される。ボタン２１と入力スイッチ２５と、前述した操作スイッチ２２と制御スイッチ２４とによって入力部２が構成されている。また、回路基板９１上には、表示窓７１に対応した位置に液晶モジュール７２が配置されている。また、回路基板９１上には、ＣＰＵやメモリ等の電子回路群が配置されており、かかる電子回路群によって制御部９および記憶部１０が構成されている。また、図示しないが、回路基板９１にはマイクロフォンおよびスピーカーも接続されており、このマイクロフォンおよびスピーカーと電子回路群とによって音声入出力部８が形成される。また、図示しないが、情報端末装置１０１は、外部通信部３およびストレージデバイス４も備えている。
【００６９】
本実施にかかる情報端末装置１０１は、図３，図４に示す低電圧駆動方式および図５，図６に示す低デューティ駆動方式を用いてＲＦＩＤ処理部５０と光学情報読取部６０とを省電力駆動させるほか、図９および図１０に示すように、低電圧駆動方式を用いてＲＦＩＤ処理部５０を構成するアンテナ５０ａを省電力駆動させてもよい。
【００７０】
図９および図１０は、アンテナ５０ａおよび光学情報読取部６０への供給電圧を説明するタイミングチャートである。図９は、ＲＦＩＤ処理部５０が読取処理を行なう場合について示し、図１０は、光学情報読取部６０が読取処を行なう場合について示す。図９および図１０における期間Ｔａ，Ｔｂ，Ｔｃ，Ｔｄ，Ｔｅ，Ｔｆは、図３および図４と同様に、指示検知期間、第１の読取信号検出期間、第１読取処理期間、表示期間、第２の読取信号検出期間、第２読取処理期間である。
【００７１】
まず、ＲＦＩＤ処理部５０が読取処理を行なう場合について説明する。図９に示すように、期間Ｔａの間、アンテナ５０ａに供給される電圧は、光学情報読取部６０と同様にＯＦＦ電圧である。期間Ｔｂでは、光学情報読取部６０には電圧Ｖd2が供給され、アンテナ５０ａには電圧Ｖd1がアンテナ５０ａに対して供給される。電圧Ｖd1は、ＲＦＩＤタグに対してＲＦＩＤタグに記憶される情報を正確に送信させるために十分必要である定格電圧Ｖs1と比して低い電圧であるが、アンテナ５０ａからの送信電波に対してＲＦＩＤタグが応答することができる電圧である。この場合、ＲＦＩＤタグからの応答電波は、ＲＦＩＤタグに記憶される情報を含まない場合もある。ただし、アンテナ５０ａは、少なくともアンテナ５０ａからの送信電波に応じたＲＦＩＤタグが通信エリア内にあることを検出することが可能である。ＲＦＩＤタグからの応答電波をアンテナ５０ａが受信した場合、ＲＦＩＤ処理部５０は制御部９に対して第１の読取信号を送出する。制御部９は、期間Ｔｂで第１の読取信号を受信した後、期間Ｔｃにおいてアンテナ５０ａに定格電圧Ｖs1を供給しアンテナ５０ａを完全駆動させ、ＲＦＩＤ処理部５０に読取処理を行なわせる。一方、光学情報読取部６０に供給される電圧はＯＦＦ電圧とされる。
【００７２】
一方、光学情報読取部６０が読取処理を行なう場合には、図１０に示すように、期間Ｔｂおよび期間Ｔｅでは、光学情報読取部６０に対して電圧Ｖd2が供給され、アンテナ５０ａには電圧Ｖd1が供給される。そして、期間Ｔｆの間、光学情報読取部６０に供給される電圧は定格電圧Ｖs2とされ、光学情報読取部６０は光学情報媒体に対して読取処理を行なう。一方、アンテナ５０ａに供給される電圧はＯＦＦ電圧とされる。
【００７３】
ＲＦＩＤ処理部５０が消費する電力の多くはアンテナ５０ａからの電波送信時に費やされるため、アンテナ５０ａを低電圧駆動方式で駆動させる場合も同様に情報端末装置１０１の消費電力を低減することが可能となる。
【００７４】
また、アンテナ５０ａを低電圧駆動方式で駆動させる場合について説明したが、これに限らず、図１１および図１２に示すように、アンテナ５０ａを低デューティ駆動方式で駆動させてもよい。図１１および図１２は、アンテナ５０ａのデューティ比および光学情報読取部６０のデューティ比を説明するタイミングチャートである。図１１は、ＲＦＩＤ処理部５０が読取処理を行なう場合について示し、図１２は、光学情報読取部６０が読取処を行なう場合について示す。図１１および図１２における期間Ｔａ，Ｔｂ，Ｔｃ，Ｔｄ，Ｔｅ，Ｔｆは、図３および図４と同様に、指示検知期間、第１の読取信号検出期間、第１読取処理期間、表示期間、第２の読取信号検出期間、第２読取処理期間である。
【００７５】
まず、ＲＦＩＤ処理部５が読取処理を行なう場合、図１１に示すように、期間Ｔｂでは、光学情報読取部のデューティ比はｂ％（＜１００％）とされるとともに、アンテナ５０ａのデューティ比はａ％（＜１００％）とされる。制御部９は、期間Ｔｂで第１の読取信号を検出した後、期間Ｔｃにおいてアンテナ５０ａのデューティ比は１００％とされ、ＲＦＩＤ処理部５０に読取処理を行なわせる。一方、光学情報読取部６０のデューティ比は０％とされる。
【００７６】
一方、光学情報読取部６０が読取処理を行なう場合には、図１２に示すように、期間Ｔｂおよび期間Ｔｅでは、光学情報読取部のデューティ比はｂ％とされ、アンテナ５０ａのデューティ比はａ％とされる。そして、期間Ｔｆの間、光学情報読取部６０のデューティ比は１００％とされ、光学情報読取部６０は光学情報媒体に対して読取処理を行なう。一方、アンテナ５０ａのデューティ比は０％とされる。このように、アンテナ５０ａを低デューティ駆動方式で駆動させる場合も同様に情報端末装置１０１の消費電力を低減することが可能となる。
【００７７】
また、ＲＦＩＤ処理部５０を構成するアンテナ５０ａに対して省電力駆動方式を適用した場合について説明したが、これに限らず、光学情報読取部６０を構成する構成部に対して省電力駆動方式を適用した場合も、同様に、光学情報読取部６０における消費電力を低減することが可能となる。
【００７８】
（実施の形態２）
つぎに、実施の形態２について説明する。実施の形態１では、第１の読取信号検出期間および第２の読取信号検出期間の間、第１読取部５および第２読取部６に対する供給電圧またはデューティ比を低くした省電力駆動方式について説明したが、本実施の形態２では、第１の読取信号検出期間および第２の読取信号検出期間の間、第１読取部５および第２読取部６に対して駆動時間を間引いて駆動させた省電力駆動方式について説明する。
【００７９】
図１３および図１４は、第１読取部５および第２読取部６への供給電圧を説明するタイミングチャートである。図１３は、第１読取部５が読取処理を行なう場合について示し、図１４は、第２読取部６が読取処を行なう場合について示す。図１３および図１４における期間Ｔａ，Ｔｂ，Ｔｃ，Ｔｄ，Ｔｅ，Ｔｆは、図３および図４と同様に、指示検知期間、第１の読取信号検出期間、第１読取処理期間、表示期間、第２の読取信号検出期間、第２読取処理期間である。なお、本実施の形態２にかかる情報端末装置は、実施の形態１にかかる情報端末装置１と同様の構造であり、情報端末装置１と同様の処理手順を行なって読取処理を行なう。
【００８０】
まず、ＲＦＩＤ処理部５が読取処理を行なう場合について説明する。図１３に示すように、期間Ｔａの間、第１読取部５および第２読取部６は、実施の形態１と同様にＯＦＦ電圧が供給される。期間Ｔｂでは、第１読取部５では、定格電圧Ｖs1とＯＦＦ電圧が交互に供給される。第２読取部６においても、定格電圧Ｖs2とＯＦＦ電圧が交互に供給される。また、第１読取部５に定格電圧Ｖs1が供給される間、第２読取部６にはＯＦＦ電圧が供給され、第１読取部５にＯＦＦ電圧が供給される間、第２読取部６には定格電圧Ｖs2が供給され、第１読取部５と第２読取部６には、交互に定格電圧が供給される。すなわち、制御部９は、期間Ｔｂの間、第１読取部５と第２読取部６とを交互に駆動させている。そして、制御部９は、期間Ｔｃでは、第１読取部５には定格電圧Ｖs1を継続して供給し、第１読取部５に情報媒体に対する読取処理を行なわせる。一方、第２読取部６への供給電圧はＯＦＦ電圧とされ、停止する。
【００８１】
つぎに、第２読取部６が読取処理を行なう場合について説明する。図１４に示すように、期間Ｔｂおよび期間Ｔｅでは、第１読取部５では、定格電圧Ｖs1とＯＦＦ電圧が交互に供給され、第２読取部６においても定格電圧Ｖs2とＯＦＦ電圧が交互に供給される。また、第１読取部５と第２読取部６には交互に定格電圧が供給されており、第１読取部５と第２読取部とは、交互に駆動している。そして、期間Ｔｆでは、第２読取部６には定格電圧Ｖs2を継続して供給し、第２読取部６に読取処理を行なわせる。一方、第１読取部５への供給電圧はＯＦＦ電圧とされ、停止する。
【００８２】
ＯＦＦ電圧が供給される間、第１読取部５および第２読取部６において電力はほとんど消費されない。このため、図１３および図１４に示すように、第１の読取信号検出期間および第２の読取信号検出期間の間、第１読取部５および第２読取部６にＯＦＦ電圧を供給するＯＦＦ電圧供給期間を設けることによって、第１読取部５および第２読取部６における消費電力の低減が可能となり、実施の形態１と同様の効果を奏することが可能となる。
【００８３】
なお、第１の読取信号検出期間および第２の読取信号検出期間の間、第１読取部５および第２読取部６に対してＯＦＦ電圧供給期間を設けた場合について説明したが、これに限らず、図１５および図１６に示すように、デューティ比が０％であるデューティ比０％期間を設けてもよい。図１５および図１６は、第１読取部５のデューティ比および第２読取部６のデューティ比を説明するタイミングチャートである。図１５は、第１読取部５が読取処理を行なう場合について示し、図１６は、第２読取部６が読取処を行なう場合について示す。図１５および図１６における期間Ｔａ，Ｔｂ，Ｔｃ，Ｔｄ，Ｔｅ，Ｔｆは、図３および図４と同様に、指示検知期間、第１の読取信号検出期間、第１読取処理期間、表示期間、第２の読取信号検出期間、第２読取処理期間である。
【００８４】
まず、ＲＦＩＤ処理部５が読取処理を行なう場合、図１５に示すように、期間Ｔｂでは、第１読取部５のデューティ比および第２読取部６のデューティ比は、１００％と０％とに交互に変化する。また、第１読取部５のデューティ比と第２読取部６のデューティ比は、交互に１００％となる。このため、期間Ｔｂの間、第１読取部５と第２読取部６とは、制御部９の制御のもと、交互に駆動する。そして、期間Ｔｃでは、第１読取部５のデューティ比を継続して１００％とし、第１読取部５に情報媒体に対する読取処理を行なわせる。一方、第２読取部６のデューティ比は０％とされ、第２読取部６は停止する。
【００８５】
つぎに、第２読取部６が読取処理を行なう場合、図１６に示すように、期間Ｔｂおよび期間Ｔｅの間、第１読取部５のデューティ比と第２読取部６のデューティ比は１００％と０％とに交互に変化し、また第１読取部５と第２読取部６とは交互に駆動する。期間Ｔｆでは、第２読取部６のデューティ比を継続して１００％とし、第２読取部６に情報媒体に対する読取処理を行なわせる。一方、第１読取部５のデューティ比は０％とされ、第１読取部５は停止する。
【００８６】
デューティ比０％期間では第１読取部５および第２読取部６において電力はほとんど消費されない。このため、第１の読取信号検出期間および第２の読取信号検出期間の間、第１読取部５および第２読取部６のデューティ比が０％となるデューティ比０％期間を設ける場合も第１読取部５および第２読取部６における消費電力の低減が可能となる。
【００８７】
また、図１３〜１６では、第１読取部５および第２読取部６に対してＯＦＦ電圧供給期間またはデューティ比０％期間を交互に設けた場合について説明したが、ＯＦＦ電圧供給期間またはデューティ比０％期間を交互に設ける必要はなく、少なくとも第１読取部５または第２読取部６のいずれかに対してＯＦＦ電圧供給期間またはデューティ比０％期間を設ければ足りる。たとえば、図１７に示すように、第１読取部５に対して、期間Ｔｂの間、定格電圧Ｖs1を供給する期間を間引きしてもよい。また、時間の経過とともに、間引きする期間を多くしてもよい。また、第２読取部６に対しても、同様に定格電圧Ｖs2を間引きしてもよい。また、期間Ｔｅの間も同様に、第１読取部５および第２読取部６に対して定格電圧を供給する期間を間引きしてもよい。また、図１８に示すように、期間Ｔｂの間、第１読取部５に対して、デューティ比が１００％である期間を間引きしてもよい。また、時間の経過とともに、間引きする期間を多くしてもよい。また、第２読取部６に対しても、同様にデューティ比が１００％である期間を間引きしてもよい。また、期間Ｔｅの間も同様に、第１読取部５のデューティ比および第２読取部６のデューティ比が１００％である期間を間引きしてもよい。このように、期間Ｔｂおよび期間Ｔｅの間、駆動部９が定格電圧を供給する期間またはデューティ比が１００％である期間を間引きすることによって、第１読取部５および第２読取部６に対して駆動時間を間引いて駆動させた場合も、第１読取部５および第２読取部６の消費電力を低減することができる。
【００８８】
また、実施の形態２における省電力駆動方式は、読取手段としてＲＦＩＤ処理部５０と光学情報読取部６０とを備えた情報端末装置１０１に対しても適用することが可能である。具体的には、第１の読取信号検出期間および第２の読取信号検出期間の間にＲＦＩＤ処理部５０と光学情報読取部６０とに対してＯＦＦ電圧供給期間を設ける。または、第１の読取信号検出期間および第２の読取信号検出期間の間にＲＦＩＤ処理部５０と光学情報読取部６０とに対してデューティ比０％期間を設ける。
【００８９】
また、図１９および図２０に示すように、第１の読取信号検出期間と第２の読取信号検出期間の間、ＲＦＩＤ処理部５０を構成するアンテナ５０ａに対して、ＯＦＦ電圧供給期間を設けてもよい。図１９はおよび図２０は、アンテナ５０ａおよび光学情報読取部６０への供給電圧を説明するタイミングチャートであり、図１９は、ＲＦＩＤ処理部５０が読取処理を行なう場合について示し、図２０は、光学情報読取部６０が読取処理を行なう場合について示す。
【００９０】
ＲＦＩＤ処理部５０が読取処理を行なう場合には、図１９に示すように、期間Ｔｂの間、アンテナ５０ａと光学情報読取部６０とにＯＦＦ電圧が供給される期間が設けられている。期間Ｔｃでは、制御部９は、アンテナ５０ａに定格電圧Ｖs1を供給し、ＲＦＩＤ処理部５０はＲＦＩＤタグに対して読取処理を行なう。一方、光学情報読取部６０に供給される電圧はＯＦＦ電圧とされ、光学情報読取部６０は停止する。
【００９１】
一方、光学情報読取部６０が読取処理を行なう場合には、図２０に示すように、期間Ｔｂおよび期間Ｔｅの間、アンテナ５０ａと光学情報読取部６０とにＯＦＦ電圧が供給される期間が設けられている。そして、期間Ｔｆでは、制御部９は、光学情報読取部６０に定格電圧Ｖs2を供給し、光学情報読取部６０は光学情報記録媒体に対して読取処理を行う。一方、アンテナ５０ａに供給される電圧はＯＦＦ電圧とされる。
【００９２】
このように、消費電力の高いアンテナ５０ａに対してＯＦＦ電圧供給期間を設けることによって、アンテナ５０ａの消費電力を低減することができ、情報端末装置１０１の消費電力の低減を図ることが可能となる。また、第１の読取信号検出期間および第２の読取信号検出期間の間、アンテナ５０ａに対してデューティ比０％期間を設けてもよい。この場合も同様にアンテナ５０ａの消費電力を低減することが可能となる。
【００９３】
（実施の形態３）
つぎに、実施の形態３について説明する。実施の形態３では、実施の形態１，２で説明した制御処理を適宜組み合わせた処理で駆動する情報端末装置について説明する。なお、実施の形態３にかかる情報端末装置は、上述した情報端末装置１，１０１と同様の構造を備え、情報端末装置１，１０１と同様の処理手順を行なって読取処理の完了を表示する。
【００９４】
たとえば、第１の読取信号検出期間および第２の読取信号検出期間の間、第１読取部５および第２読取部６に対して定格電圧よりも低い電圧を供給するとともに、ＯＦＦ電圧供給期間を設けた場合について、図２１および図２２を用いて説明する。
【００９５】
図２１および図２２は、第１読取部５および第２読取部６への供給電圧を説明するタイミングチャートであり、図２１は、第１読取部５が読取処理を行なう場合について示し、図２２は、第２読取部６が読取処理を行なう場合について示す。
【００９６】
第１読取部５が読取処理を行なう場合、図２１に示すように、期間Ｔｂの間、第１読取部５と第２読取部６とにＯＦＦ電圧が供給されるＯＦＦ電圧供給期間が設けられている。さらに、ＯＦＦ電圧供給期間以外において第１読取部５に供給される電圧は電圧Ｖd1（＜ＶS1）であり、第２読取部６に供給される電圧は電圧Ｖd2（＜ＶS2）である。そして、期間Ｔｃの間、第１読取部５には定格電圧Ｖs1が供給され、第１読取部５は読取処理を行なう。一方、第２読取部６にはＯＦＦ電圧が供給され、第２読取部６は停止する。
【００９７】
一方、第２読取部６が読取処理を行なう場合、図２２に示すように、期間Ｔｂおよび期間Ｔｅの間、第１読取部５と第２読取部６とにＯＦＦ電圧供給期間が設けられている。さらに、ＯＦＦ電圧供給期間以外において第１読取部５に供給される電圧は電圧Ｖd1であり、第２読取部６に供給される電圧は電圧Ｖd2である。そして、期間Ｔｆでは、第２読取部６には定格電圧Ｖs2が供給され、第２読取部６は読取処理を行う。一方、第１読取部５にはＯＦＦ電圧が供給され、第１読取部５は停止する。
【００９８】
このように、第１読取部５および第２読取部６に対してＯＦＦ電圧供給期間を設けるとともに、ＯＦＦ電圧供給期間以外においては第１読取部５および第２読取部６に定格電圧よりも低い電圧を供給することによって、第１読取部５および第２読取部６の消費電力をさらに低減することができ、実施の形態１，２と同様の効果を奏する。
【００９９】
また、第１の読取信号検出期間および第２の読取信号検出期間の間、第１読取部５および第２読取部６に対してデューティ比を低くするとともに、デューティ比０％期間を設けた場合について、図２３および図２４を用いて説明する。図２３および図２４は、第１読取部５のデューティ比および第２読取部６のデューティ比を説明するタイミングチャートであり、図２３は、第１読取部５が読取処理を行なう場合について示し、図２４は、第２読取部６が読取処理を行なう場合について示す。
【０１００】
図２３に示すように、期間Ｔｂの間、第１読取部５と第２読取部６とに対して、デューティ比０％期間が設けられている。さらに、デューティ比０％期間以外には、第１読取部５のデューティ比はａ％（＜１００％）とされ、第２読取部６のデューティ比はｂ％（＜１００％）とされる。そして、期間Ｔｃの間、第１読取部５のデューティ比は１００％とされ、第１読取部５は情報媒体に対して読取処理を行なう。一方、第２読取部６のデューティ比ａは０％とされ、第２読取部６は駆動を停止する。
【０１０１】
一方、図２４に示すように、期間Ｔｂおよび期間Ｔｅの間、第１読取部５と第２読取部６とに対してデューティ比０％期間が設けられ、さらに、デューティ比が０％である期間以外には、第１読取部５のデューティ比はａ％とされ、第２読取部６のデューティ比はｂ％とされる。そして、期間Ｔｆの間、第２読取部６のデューティ比は１００％とされ、第２読取部６は情報媒体に対して読取処理を行なう。一方、第１読取部５のデューティ比ａは０％とされ、第１読取部５は駆動を停止する。
【０１０２】
このように、第１読取部５および第２読取部６に対してデューティ比０％期間を設けるとともに、デューティ比０％期間以外のデューティ比を低くすることによって、第１読取部５および第２読取部６の消費電力を低減することができ、実施の形態１，２と同様の効果を奏する。
【０１０３】
また、実施の形態３における省電力駆動方式は、読取手段としてＲＦＩＤ処理部５０と光学情報読取部６０とを備えた情報端末装置１０１に対しても適用することが可能であるほか、ＲＦＩＤ処理部５０を構成するアンテナ５０ａに対しても適用することが可能である。
【０１０４】
また、実施の形態１〜３において説明した情報端末装置１，１０１に対する制御処理は、図２５に示す情報端末装置１１１に対しても適用することができる。情報端末装置１１１は、アンテナ５０ａを有したＲＦＩＤ処理部５０と、アンテナ５０ａの送信電波と異なる周波数の電波を送信するアンテナ６８ａを有したＲＦＩＤ処理部６８とを備える。ＲＦＩＤ処理部６８は、ＲＦＩＤ処理部５０と同様の処理を行なってＲＦＩＤタグに対して読取処理を行なう。このような情報端末装置１１１においても、ＲＦＩＤ処理部５０およびＲＦＩＤ処理部６８に対して、実施の形態１〜３で説明した省電力駆動を行なわせることによって、消費電力の低減を実現することができる。また、ＲＦＩＤ処理部５０を構成するアンテナ５０ａとＲＦＩＤ処理部６８を構成するアンテナ６８ａとに対して実施の形態１〜３で説明した省電力駆動を行なわせた場合も、同様に消費電力の低減を図ることが可能である。
【０１０５】
また、実施の形態１〜３では、読取手段としてＲＦＩＤ処理部５０および光学情報読取部６０またはＲＦＩＤ処理部６８を備えた情報端末装置１，１０１，１１１について説明したが、これに限らず、所定周波数の電波を用いて、情報媒体または他の通信装置と無線通信を行なう無線通信処理部を読取手段として備えた情報端末装置に適用してもよい。
【図面の簡単な説明】
【０１０６】
【図１】実施の形態１にかかる情報端末装置の概略構成を示すブロック図である。
【図２】実施の形態１にかかる情報端末装置の読取処理の処理手順を示すフローチャートである。
【図３】実施の形態１にかかる情報端末装置の各構成部の供給電圧を説明するタイミングチャートである。
【図４】実施の形態１にかかる情報端末装置の各構成部の供給電圧を説明するタイミングチャートである。
【図５】実施の形態１にかかる情報端末装置の各構成部におけるデューティ比を説明するタイミングチャートである。
【図６】実施の形態１にかかる情報端末装置の各構成部におけるデューティ比を説明するタイミングチャートである。
【図７】実施の形態１にかかる情報端末装置の概略構成の他の例を示すブロック図である。
【図８】実施の形態１にかかる情報端末装置の具体的構成を示す分解斜視図である。
【図９】実施の形態１にかかる情報端末装置の各構成部の供給電圧を説明するタイミングチャートである。
【図１０】実施の形態１にかかる情報端末装置の各構成部の供給電圧を説明するタイミングチャートである。
【図１１】実施の形態１にかかる情報端末装置の各構成部におけるデューティ比を説明するタイミングチャートである。
【図１２】実施の形態１にかかる情報端末装置の各構成部におけるデューティ比を説明するタイミングチャートである。
【図１３】実施の形態２にかかる情報端末装置の各構成部の供給電圧を説明するタイミングチャートである。
【図１４】実施の形態２にかかる情報端末装置の各構成部の供給電圧を説明するタイミングチャートである。
【図１５】実施の形態２にかかる情報端末装置の各構成部におけるデューティ比を説明するタイミングチャートである。
【図１６】実施の形態２にかかる情報端末装置の各構成部におけるデューティ比を説明するタイミングチャートである。
【図１７】実施の形態２にかかる情報端末装置の各構成部の供給電圧を説明する図である。
【図１８】実施の形態２にかかる情報端末装置の各構成部におけるデューティ比を説明する図である。
【図１９】実施の形態２にかかる情報端末装置の各構成部の供給電圧を説明するタイミングチャートである。
【図２０】実施の形態２にかかる情報端末装置の各構成部の供給電圧を説明するタイミングチャートである。
【図２１】実施の形態３にかかる情報端末装置の各構成部の供給電圧を説明するタイミングチャートである。
【図２２】実施の形態３にかかる情報端末装置の各構成部の供給電圧を説明するタイミングチャートである。
【図２３】実施の形態３にかかる情報端末装置の各構成部におけるデューティ比を説明するタイミングチャートである。
【図２４】実施の形態３にかかる情報端末装置の各構成部におけるデューティ比を説明するタイミングチャートである。
【図２５】実施の形態１〜３にかかる情報端末装置の概略構成の他の例を示すブロック図である。
【符号の説明】
【０１０７】
１、１０１、１１１  情報端末装置
２  入力部
３  外部通信部
４  ストレージデバイス
５  第１読取部
６  第２読取部
７  表示部
８  音声入出力部
９  制御部
１０  記憶部
１１  上部ハウジング
１２  下部ハウジング
１３  ガスケット部材
１４  穴部
１５  開口部
１６  バッテリ収容部
１７  バッテリ
１８  蓋部
２１  ボタン
２２  操作スイッチ
２４  制御スイッチ
２５  入力スイッチ
５０、６８  ＲＦＩＤ処理部
５０ａ、６８ａ  アンテナ
５１  ループアンテナ
６０  光学情報読取部
６１  撮像窓
６２  撮像ユニット
６３  光学系
６４  ＣＣＤ回路
６５  画像処理回路
６６  照明窓
６７  照明ユニット
７１  表示窓
７２  液晶モジュール
９１  回路基板
【図１】
2005210602.tif 000003
【図２】
2005210602.tif 000004
【図３】
2005210602.tif 000005
【図４】
2005210602.tif 000006
【図５】
2005210602.tif 000007
【図６】
2005210602.tif 000008
【図７】
2005210602.tif 000009
【図８】
2005210602.tif 000010
【図９】
2005210602.tif 000011
【図１０】
2005210602.tif 000012
【図１１】
2005210602.tif 000013
【図１２】
2005210602.tif 000014
【図１３】
2005210602.tif 000015
【図１４】
2005210602.tif 000016
【図１５】
2005210602.tif 000017
【図１６】
2005210602.tif 000018
【図１７】
2005210602.tif 000019
【図１８】
2005210602.tif 000020
【図１９】
2005210602.tif 000021
【図２０】
2005210602.tif 000022
【図２１】
2005210602.tif 000023
【図２２】
2005210602.tif 000024
【図２３】
2005210602.tif 000025
【図２４】
2005210602.tif 000026
【図２５】
2005210602.tif 000027